(57)【要約】  本発明の実施形態による中継器の動作方法において、中継器の同期検出方法は、それぞれが相異なる周波数区間に属する複数の同期信号ブロックを含む通信信号を受信する段階と、周波数区間別の信号サイズに基づいて、複数の同期信号ブロックを検出する周波数区間の優先順位を定める段階と、定められた優先順位によって周波数区間別に含まれている同期信号ブロックを検出する段階と、を含む。
2020532915.tif 000002
【特許請求の範囲】
【請求項１】
それぞれが相異なる周波数区間に属する複数の同期信号ブロックを含む通信信号を受信する段階と、
周波数区間別の信号サイズに基づいて、前記複数の同期信号ブロックを検出する周波数区間の優先順位を定める段階と、
定められた優先順位によって、前記周波数区間別に含まれている同期信号ブロックを検出する段階と、を含むことを特徴とする中継器の同期検出方法。
【請求項２】
前記複数の同期信号ブロックそれぞれは、
ＰＳＳ（Ｐｒｉｍａｒｙ  Ｓｙｎｃｈｒｏｎｉｚａｔｉｏｎ  Ｓｉｇｎａｌ）、ＳＳＳ（Ｓｅｃｏｎｄａｒｙ  Ｓｙｎｃｈｒｏｎｉｚａｔｉｏｎ  Ｓｉｇｎａｌ）、及びＰＢＣＨ（Ｐｈｙｓｉｃａｌ  Ｂｒｏａｄｃａｓｔ  Ｃｈａｎｎｅｌ）を含むことを特徴とする請求項１に記載の中継器の同期検出方法。
【請求項３】
前記中継器の同期検出方法は、
前記検出された同期信号ブロックに含まれている前記ＰＳＳと前記ＳＳＳとの相関関係を用いて、同期を検出する段階をさらに含むことを特徴とする請求項２に記載の中継器の同期検出方法。
【請求項４】
前記中継器の同期検出方法は、
検出された前記同期を用いて、前記中継器内でアップリンク通信とダウンリンク通信とをスイッチングするためのスイッチング信号を生成する段階をさらに含むことを特徴とする請求項３に記載の中継器の同期検出方法。
【請求項５】
前記同期信号ブロックを検出する周波数区間の優先順位を定める段階は、
前記通信信号を周波数ドメインに変換し、周波数ドメインに変換された通信信号の周波数区間別の信号サイズを検出する段階を含むことを特徴とする請求項１に記載の中継器の同期検出方法。
【請求項６】
前記同期信号ブロックを検出する周波数区間の優先順位を定める段階は、
前記周波数区間別の信号サイズに基づいて、信号サイズの大きい周波数区間を高い優先順位として定めることを特徴とする請求項１に記載の中継器の同期検出方法。
【請求項７】
それぞれが相異なる周波数区間に属する複数の同期信号ブロックを含む通信信号を受信し、受信した通信信号を周波数ドメインに変換するドメイン変換回路と、
周波数ドメインに変換された前記通信信号の周波数区間別の信号サイズを測定するパワーディテクタと、
測定された周波数区間別の信号サイズに基づいて、前記複数の同期信号ブロックを検出する周波数区間の優先順位を定め、定められた優先順位によって前記周波数区間別に含まれている同期信号ブロックを検出する同期検出器と、を備えることを特徴とする中継器。
【請求項８】
前記中継器は、
それぞれがアップリンク通信とダウンリンク通信とをスイッチングするための複数のアップリンク／ダウンリンク・スイッチをさらに備えることを特徴とする請求項７に記載の中継器。
【請求項９】
前記中継器は、
検出された前記同期信号ブロックを用いて、前記複数のアップリンク／ダウンリンク・スイッチをスイッチングするためのスイッチング信号を生成するスイッチング信号生成器をさらに備えることを特徴とする請求項８に記載の中継器。
【請求項１０】
前記同期信号ブロックは、
ＰＳＳ（Ｐｒｉｍａｒｙ  Ｓｙｎｃｈｒｏｎｉｚａｔｉｏｎ  Ｓｉｇｎａｌ）、ＳＳＳ（Ｓｅｃｏｎｄａｒｙ  Ｓｙｎｃｈｒｏｎｉｚａｔｉｏｎ  Ｓｉｇｎａｌ）、及びＰＢＣＨ（Ｐｈｙｓｉｃａｌ  Ｂｒｏａｄｃａｓｔ  Ｃｈａｎｎｅｌ）を含むことを特徴とする請求項９に記載の中継器。
【発明の詳細な説明】
【技術分野】
【０００１】
本発明は、中継器及びその動作方法に係り、周波数区間別の信号サイズに基づいて、複数の同期信号ブロックを検出する周波数区間の優先順位を定め、定められた優先順位によって前記周波数区間別に含まれている同期信号ブロックを検出できる中継器及びその動作方法に関する。
【背景技術】
【０００２】
一般的に、基地局のサービスカバレージの拡張またはサービス品質の向上のために、信号の強度が弱いか、または信号が到逹しにくい電波陰影地域で、通信中継器、干渉除去中継器、分散アンテナシステムなどの中継システムが使われている。
【０００３】
５Ｇ  ＮＲ（Ｎｅｗ  Ｒａｄｉｏ）は、ＴＤＤ（Ｔｉｍｅ  Ｄｉｖｉｓｉｏｎ  Ｄｕｐｌｅｘｉｎｇ）方式であって、中継システムが５Ｇ  ＮＲを支援するためには、基地局との時間同期が必須である。時間同期のためには、ＰＳＳ（Ｐｒｉｍａｒｙ  Ｓｙｎｃｈｒｏｎｉｚａｔｉｏｎ  Ｓｉｇｎａｌ）、ＳＳＳ（Ｓｅｃｏｎｄａｒｙ  Ｓｙｎｃｈｒｏｎｉｚａｔｉｏｎ  Ｓｉｇｎａｌ）を探して同期を獲得せねばならない。既存のＬＴＥは、中心周波数にＰＳＳ、ＳＳＳが常に位置していて、中心周波数のＰＳＳ、ＳＳＳ帯域についてのみ相関関係を求めて同期を獲得すればよい。しかし、５Ｇ  ＮＲではＰＳＳ、ＳＳＳが８個が存在し、基地局ごとにそれぞれ周波数帯域に任意に配置される。これにより、ＰＳＳ、ＳＳＳの相関関係を求めるためには、周波数の全帯域を順次に移動しつつ求めねばならないため、同期検出時間が増加するという問題がある。
【発明の概要】
【発明が解決しようとする課題】
【０００４】
本発明が解決しようとする技術的課題は、周波数区間別の信号サイズに基づいて、複数の同期信号ブロックを検出する周波数区間の優先順位を定め、定められた優先順位によって前記周波数区間別に含まれている同期信号ブロックを検出できる中継器及びその動作方法を提供することである。
【課題を解決するための手段】
【０００５】
本発明の一実施形態による中継器の動作方法は、それぞれが相異なる周波数区間に属する複数の同期信号ブロックを含む通信信号を受信する段階と、周波数区間別の信号サイズに基づいて、前記複数の同期信号ブロックを検出する周波数区間の優先順位を定める段階と、定められた優先順位によって前記周波数区間別に含まれている同期信号ブロックを検出する段階と、を含む。
【０００６】
一部の実施形態において、前記複数の同期信号ブロックそれぞれは、ＰＳＳ（Ｐｒｉｍａｒｙ  Ｓｙｎｃｈｒｏｎｉｚａｔｉｏｎ  Ｓｉｇｎａｌ）、ＳＳＳ（Ｓｅｃｏｎｄａｒｙ  Ｓｙｎｃｈｒｏｎｉｚａｔｉｏｎ  Ｓｉｇｎａｌ）、及びＰＢＣＨ（Ｐｈｙｓｉｃａｌ  Ｂｒｏａｄｃａｓｔ  Ｃｈａｎｎｅｌ）を含む。
【０００７】
一部の実施形態において、前記中継器の同期検出方法は、前記検出された同期信号ブロックに含まれている前記ＰＳＳと前記ＳＳＳとの相関関係を用いて同期を検出する段階をさらに含む。
【０００８】
一部の実施形態において、前記中継器の同期検出方法は、検出された前記同期を用いて、前記中継器内でアップリンク通信とダウンリンク通信とをスイッチングするためのスイッチング信号を生成する段階をさらに含む。
【０００９】
一部の実施形態において、前記同期信号ブロックを検出する周波数区間の優先順位を定める段階は、前記通信信号を周波数ドメインに変換し、周波数ドメインに変換された通信信号の周波数区間別の信号サイズを検出する段階を含む。
【００１０】
一部の実施形態において、前記同期信号ブロックを検出する周波数区間の優先順位を定める段階は、前記周波数区間別の信号サイズに基づいて、信号サイズの大きい周波数区間を高い優先順位として定める。
【００１１】
本発明の一実施形態による中継器は、それぞれが相異なる周波数区間に属する複数の同期信号ブロックを含む通信信号を受信し、受信した通信信号を周波数ドメインに変換するドメイン変換回路と、周波数ドメインに変換された前記通信信号の周波数区間別の信号サイズを測定するパワーディテクタと、測定された周波数区間別の信号サイズに基づいて前記複数の同期信号ブロックを検出する周波数区間の優先順位を定め、定められた優先順位によって前記周波数区間別に含まれている同期信号ブロックを検出する同期検出器と、を備える。
【００１２】
一部の実施形態において、前記中継器は、それぞれがアップリンク通信とダウンリンク通信とをスイッチングするための複数のアップリンク／ダウンリンク・スイッチをさらに備える。
【００１３】
一部の実施形態において、前記中継器は、検出された前記同期信号ブロックを用いて、前記複数のアップリンク／ダウンリンク・スイッチをスイッチングするためのスイッチング信号を生成するスイッチング信号生成器をさらに備える。
【００１４】
一部の実施形態において、前記同期信号ブロックは、ＰＳＳ、ＳＳＳ、及びＰＢＣＨを含む。
【発明の効果】
【００１５】
本発明の実施形態による方法及び装置は、複数の同期信号ブロックを検出する周波数区間の優先順位を定め、定められた優先順位によって前記周波数区間別に含まれている同期信号ブロックを検出することで、信号の存在しない周波数帯域を含む周波数全帯域について同期を検出するという非効率を低減させる。
【図面の簡単な説明】
【００１６】
本発明の詳細な説明で引用される図面をさらに十分に理解するために、各図面の簡単な説明が提供される。
【図１】本発明の一実施形態による通信システムの概念図である。
【図２】図１に示されている中継器の一実施形態によるブロック図である。
【図３】図２に示されているアップリンク／ダウンリンクのスイッチング信号生成器の一実施形態によるブロック図である。
【図４】本発明の実施形態による中継器からサービスされる通信信号に含まれている同期信号ブロックの例示図である。
【図５】本発明の実施形態による中継器からサービスされる通信信号に複数の同期信号ブロックが含まれる形態を示す例示図である。
【図６】本発明の一実施形態による中継器の動作方法のフローチャートである。
【発明を実施するための形態】
【００１７】
本発明の技術的思想は、多様な変更を加えられ、かつ多様な実施形態を持つことができるところ、特定の実施形態を図面に例示し、これを詳細に説明する。しかし、これは、本発明の技術的思想を特定の実施形態によって限定しようとするものではなく、本発明の技術的思想の範囲に含まれるすべての変更、均等物ないし代替物を含むと理解されねばならない。
【００１８】
本発明の技術的思想を説明するに当って、係る公知技術についての具体的な説明が本発明の趣旨を不要に不明にすると判断される場合、その詳細な説明を省略する。また、本明細書の説明過程で用いられる数字（例えば、第１、第２など）は一つの構成要素を他の構成要素から区分するための識別記号に過ぎない。
【００１９】
また、本明細書において、一構成要素が他の構成要素と“連結される”か、または“接続する”などと言及された時には、前記一構成要素が前記他の構成要素と直接連結されるか、または直接接続することもあるが、特に逆の記載が存在しない以上、中間にさらに他の構成要素を介して連結されるか、または接続することもあると理解されねばならない。
【００２０】
また、本明細書に記載の“〜部”、“〜器”、“〜子”、“〜モジュール”などの用語は、少なくとも一つの機能や動作を処理する単位を意味し、これは、プロセッサ、マイクロプロセッサ、マイクロコントローラ、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＰＵ（Ａｃｃｅｌｅｒａｔｅ  Ｐｒｏｃｅｓｓｏｒ  Ｕｎｉｔ）、ＤＳＰ（Ｄｒｉｖｅ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などのハードウェアやソフトウェアまたはハードウェア及びソフトウェアの結合で具現され、少なくとも一つの機能や動作の処理に必要なデータを保存するメモリと結合される形態で具現されてもよい。
【００２１】
そして、本明細書における構成部の区分は、各構成部が担当する主機能別に区分したことに過ぎないということを明らかにする。すなわち、以下で説明する２個以上の構成部が一つの構成部に合わせられるか、または一つの構成部がさらに細分化した機能別に２個以上に分化して備えられてもよい。そして、以下で説明する構成部それぞれは、自分の担当する主機能以外にも他の構成部が担当する機能のうち一部または全部の機能をさらに行ってもよく、構成部それぞれが担当する主機能のうち一部の機能が他の構成部によって専担されて行われてもよいということは言うまでもない。
【００２２】
図１は、本発明の一実施形態による通信システムの概念図である。図１を参照すれば、本発明の一実施形態による通信システム１０は、基地局１００、無線通信端末器２００、及び中継器３００を備える。
【００２３】
中継器３００は、基地局１００と無線通信端末器２００との通信を中継する。
【００２４】
実施形態によって、中継器３００は、ＧＳＭ（登録商標（ｇｌｏｂａｌ  ｓｙｓｔｅｍ  ｆｏｒ  ｍｏｂｉｌｅ  ｃｏｍｍｕｎｉｃａｔｉｏｎ））またはＣＤＭＡ（ｃｏｄｅ  ｄｉｖｉｓｉｏｎ  ｍｕｌｔｉｐｌｅ  ａｃｃｅｓｓ）などの２Ｇ移動通信網、ＷＣＤＭＡ（登録商標（ｗｉｄｅｂａｎｄ  ｃｏｄｅ  ｄｉｖｉｓｉｏｎ  ｍｕｌｔｉｐｌｅ  ａｃｃｅｓｓ））またはＣＤＭＡ２０００などの３Ｇ移動通信網、ＨＳＤＰＡ（ｈｉｇｈ  ｓｐｅｅｄ  ｄｏｗｎｌｉｎｋ  ｐａｃｋｅｔ  ａｃｃｅｓｓ）またはＨＳＵＰＡ（ｈｉｇｈ  ｓｐｅｅｄ  ｕｐｌｉｎｋ  ｐａｃｋｅｔ  ａｃｃｅｓｓ）などの３．５Ｇ移動通信網、ＬＴＥ（ｌｏｎｇ  ｔｅｒｍ  ｅｖｏｌｕｔｉｏｎ）またはＬＴＥ−Ａｄｖａｎｃｅｄなどの４Ｇ移動通信網、５Ｇ移動通信網、Ｃ−ＲＡＮ（Ｃｌｏｕｄ  Ｒａｄｉｏ  Ａｃｃｅｓｓ  Ｎｅｔｗｏｒｋ）、またはこれらの組合で構成された通信網で通信信号を中継する。
【００２５】
中継器３００は、基地局１００から伝送された通信信号（例えば、基地局信号）を第１アンテナＡＮＴ１を通じて受信し、受信した通信信号（例えば、基地局信号）を第２アンテナＡＮＴ２を通じて無線通信端末器２００に中継する。
【００２６】
実施形態によって、通信信号は、無線通信信号（例えば、ＲＦ（Ｒａｄｉｏ  Ｆｒｅｑｕｅｎｃｙ）信号）である。
【００２７】
実施形態によって、通信信号は、５Ｇ−ＮＲ（Ｎｅｗ  Ｒａｄｉｏ）標準による通信信号でありうる。
【００２８】
第１アンテナＡＮＴ１は、ドナーアンテナと呼ばれ、第２アンテナＡＮＴ２は、サービスアンテナまたはカバレージアンテナと呼ばれるが、これに限定されるものではない。
【００２９】
実施形態によって、中継器３００は、ＲＦ中継器またはＩＣＳ（Ｉｎｔｅｒｆｅｒｅｎｃｅ  Ｃａｎｃｅｌｌａｔｉｏｎ  Ｓｙｓｔｅｍ）中継器などの無線通信信号を中継する中継器として具現される。
【００３０】
図１では、説明の便宜のために、中継器３００が一つの基地局１００と一つの無線通信端末器２００との通信を中継すると示されているが、中継器３００は、複数の基地局と複数の無線通信端末器との通信を中継することもできる。他の実施形態によって、中継器３００は、基地局１００と他の中継器（図示せず）との通信を中継することもできる。
【００３１】
中継器３００の詳細な構造及び動作については、図２を参照して詳細に説明される。
【００３２】
図２は、図１に示されている中継器の一実施形態によるブロック図である。
【００３３】
図１及び図２を参照すれば、中継器３００は、第１アップリンク／ダウンリンク・スイッチ（ＵＬ／ＤＬ  ｓｗｉｔｃｈ）３０５、ダウンリンク処理回路３１０、第２アップリンク／ダウンリンク・スイッチ３１６、アップリンク処理回路３２０、及びアップリンク／ダウンリンク・スイッチング信号生成器３３０を備える。
【００３４】
第１アップリンク／ダウンリンク・スイッチ３０５は、アップリンク通信及びダウンリンク通信で中継器３００内の通信信号の移動経路をスイッチングする。
【００３５】
ダウンリンク通信において、第１アップリンク／ダウンリンク・スイッチ３０５は、第１アンテナＡＮＴ１を通じて送信された通信信号を受信し、受信した通信信号をダウンリンク処理回路３１０に伝達するように通信信号の移動経路をスイッチングする。
【００３６】
アップリンク通信において、第１アップリンク／ダウンリンク・スイッチ３０５は、アップリンク処理回路３２０を通じて送信された通信信号を受信し、受信した通信信号を第１アンテナＡＮＴ１に伝達するように通信信号の移動経路をスイッチングする。
【００３７】
実施形態によって、第１アップリンク／ダウンリンク・スイッチ３０５は、ダウンリンク通信で第１アンテナＡＮＴ１を通じて受信された通信信号のノイズを除去し、ノイズ除去された通信信号を周波数下向き変換して出力してもよい。
【００３８】
実施形態によって、第１アップリンク／ダウンリンク・スイッチ３０５は、アップリンク通信でアップリンク処理回路３２０を通じて伝達された通信信号を、第１アンテナＡＮＴ１を通じて基地局１００側に送信する。
【００３９】
実施形態によって、第１アップリンク／ダウンリンク・スイッチ３０５は、アップリンク通信で、アップリンク処理回路３２０を通じて伝達された通信信号を線形化して出力する。
【００４０】
第１アップリンク／ダウンリンク・スイッチ３０５は、アップリンク／ダウンリンク・スイッチング信号生成回路３３０によって生成された第１スイッチング信号ＳＷ１によって、通信信号の移動経路をスイッチングする。
【００４１】
ダウンリンク処理回路３１０は、第１減衰器３１１、第１アナログ・デジタルコンバータ（ＡＤＣ）３１２、第１デジタルフィルタ３１３、デジタル・アナログコンバータ（ＤＡＣ）３１４、及び増幅器３１５を備える。
【００４２】
第１減衰器３１１は、第１アップリンク／ダウンリンク・スイッチ３０５から伝達された通信信号のサイズを減衰させて出力する。
【００４３】
第１アナログ・デジタルコンバータ３１２は、第１減衰器３１１によって信号のサイズが減衰して出力された通信信号をデジタル変換し、デジタル変換された通信信号を出力する。
【００４４】
第１デジタルフィルタ３１３は、デジタル変換された通信信号に含まれている干渉信号をフィルタリグし、通過帯域の信号のみ出力する。
【００４５】
実施形態によって、第１デジタルフィルタ３１３は、デジタル信号プロセッサの一部構成として具現される。
【００４６】
第１デジタルフィルタ３１３のパラメータ（例えば、フィルタの形態（ＬＰＦ、ＢＰＦ、ＨＰＦ、ＢＳＦなど）、フィルタの中心周波数、フィルタの通過帯域など）は、ユーザによって調節または設定されるか、または通信信号によって適応的に調節される。
【００４７】
実施形態によって、第１デジタルフィルタ３１３は、帯域通過フィルタを備えて具現される。
【００４８】
第１デジタル・アナログ変換器３１４は、第１デジタルフィルタ３１３によってフィルタリグされたデジタル通信信号をアナログ通信信号に変換して出力する。
【００４９】
増幅器３１５は、第１デジタル・アナログ変換器３１４によって出力されたアナログ通信信号を増幅して出力する。
【００５０】
実施形態によって、増幅器３１５は、低ノイズ増幅器として具現されてもよい。
【００５１】
増幅器３１５によって増幅されて出力されたアナログ通信信号は、第２アップリンク／ダウンリンク・スイッチ３１６に伝達される。
【００５２】
第2アップリンク／ダウンリンク・スイッチ３１６は、アップリンク通信及びダウンリンク通信で中継器３００内の通信信号の移動経路をスイッチングする。
【００５３】
ダウンリンク通信において、第２アップリンク／ダウンリンク・スイッチ３１６は、ダウンリンク処理回路３１０を通じて送信された通信信号を受信し、受信した通信信号を第２アンテナＡＮＴ２に伝達するように通信信号の移動経路をスイッチングする。
【００５４】
アップリンク通信において、第２アップリンク／ダウンリンク・スイッチ３１６は、第２アンテナＡＮＴ２を通じて送信された通信信号を受信し、受信した通信信号をアップリンク処理回路３２０に伝達するように通信信号の移動経路をスイッチングする。
【００５５】
実施形態によって、第２アップリンク／ダウンリンク・スイッチ３１６は、ダウンリンク通信でダウンリンク処理回路３１０を通じて伝達された通信信号を、第２アンテナＡＮＴ２を通じて基地局１００側に送信する。
【００５６】
実施形態によって、第２アップリンク／ダウンリンク・スイッチ３１６は、ダウンリンク通信でダウンリンク処理回路３１０を通じて伝達された通信信号を線形化して出力する。
【００５７】
実施形態によって、第２アップリンク／ダウンリンク・スイッチ３１６は、アップリンク通信で第２アンテナＡＮＴ２を通じて受信された通信信号のノイズを除去し、ノイズ除去された通信信号を周波数下向き変換して出力してもよい。
【００５８】
第２アップリンク／ダウンリンク・スイッチ３１６は、アップリンク／ダウンリンク・スイッチング信号生成回路３３０によって生成された第２スイッチング信号ＳＷ２によって、通信信号の移動経路をスイッチングする。
【００５９】
アップリンク／ダウンリンク・スイッチング信号生成器３３０は、中継器３００が受信した通信信号ＳＩＮを入力され、入力された通信信号ＳＩＮに基づいてアップリンク／ダウンリンク・スイッチ３０５及び３１６をスイッチングするためのスイッチング信号ＳＷ１及びＳＷ２を生成する。
【００６０】
アップリンク／ダウンリンク・スイッチング信号生成器３３０の詳細な構造及び動作については、図３ないし図５を参照して後述する。
【００６１】
第２アップリンク／ダウンリンク・スイッチ３１６は、アップリンク通信で第２アンテナＡＮＴ２を通じて送信された通信信号を受信し、受信した通信信号をアップリンク処理回路３２０に伝達する。
【００６２】
アップリンク処理回路３２０は、第２減衰器３２１、第２アナログ・デジタルコンバータ３２２、第２デジタルフィルタ３２３、デジタル・アナログコンバータ３２４、及び増幅器３２５を備える。
【００６３】
アップリンク処理回路３２０の各構成３２１ないし３２５は、ダウンリンク処理回路３１０の各構成３１１ないし３１５の逆方向に実質的な同じ信号処理を行える。
【００６４】
図３は、図２に示されているアップリンク／ダウンリンクのスイッチング信号生成器の一実施形態によるブロック図である。図４は、本発明の実施形態による中継器からサービスされる通信信号に含まれている同期信号ブロックの例示図である。図５は、本発明の実施形態による中継器からサービスされる通信信号に複数の同期信号ブロックが含まれる形態を示す例示図である。
【００６５】
図２及び図３を参照すれば、アップリンク／ダウンリンク・スイッチング信号生成器３３０は、ドメイン変換回路３３１、パワーディテクタ３３２、同期検出器３３３、及びスイッチング信号生成器３３４を備える。
【００６６】
ドメイン変換回路３３１は、中継器３００が受信した通信信号ＳＩＮを周波数ドメインに変換する。
【００６７】
実施形態によって、ドメイン変換回路３３１は、ＦＦＴ（Ｆａｓｔ  Ｆｏｕｒｉｅｒ  Ｔｒａｎｓｆｏｒｍ）を通じて、中継器３００が受信した通信信号ＳＩＮを周波数ドメインに変換する。
【００６８】
パワーディテクタ３３２は、ドメイン変換回路３３１によって周波数ドメインに変換された通信信号ＳＩＮの周波数区間別の信号サイズを測定する。
【００６９】
実施形態によって、通信信号ＳＩＮの周波数区間が、第１周波数区間ｆ１ないしｆ２、第２周波数区間ｆ２ないしｆ３、及び第３周波数区間ｆ３ないしｆ４に区分された場合、第１周波数区間ｆ１ないしｆ２の信号成分の信号サイズ、第２周波数区間ｆ２ないしｆ３の信号成分の信号サイズ、及び第３周波数区間ｆ３ないしｆ４の信号成分の信号サイズそれぞれを測定する。
【００７０】
同期検出器３３３は、パワーディテクタ３３２によって測定された周波数区間別の信号サイズに基づいて、通信信号ＳＩＮＩ内で複数の同期信号ブロックを検出する周波数区間の優先順位を定める。
【００７１】
実施形態によって、周波数区間別の信号サイズの手順が、第３周波数区間ｆ３ないしｆ４、第１周波数区間ｆ１ないしｆ２、第２周波数区間ｆ２ないしｆ３の手順であれば、これと同じ手順で、通信信号ＳＩＮＩ内で複数の同期信号ブロックを検出する周波数区間の優先順位を定める。
【００７２】
実施形態によって、複数の同期信号ブロックは、相異なる周波数区間に属する。
【００７３】
図４及び図５を共に参照すれば、中継器３００によって中継される通信信号が５Ｇ−ＮＲ標準による通信信号である場合の、同期信号ブロック（Ｓｙｎｃｈｒｏｎｉｚａｔｉｏｎ  Ｓｉｇｎａｌ  Ｂｌｏｃｋ（ＳＳＢ））が示されている。
【００７４】
実施形態によって、同期信号ブロックＳＳＢは、図４に示されているように、４個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル及び２０個のＲＢ（Ｒｅｓｏｕｒｃｅ  Ｂｌｏｃｋ）で構成される。
【００７５】
実施形態によって、同期信号ブロックＳＳＢは、ＮＲ−ＰＳＳ（Ｐｒｉｍａｒｙ  Ｓｙｎｃｈｒｏｎｉｚａｔｉｏｎ  Ｓｉｇｎａｌ）、ＮＲ−ＳＳＳ（Ｓｅｃｏｎｄａｒｙ  Ｓｙｎｃｈｒｏｎｉｚａｔｉｏｎ  Ｓｉｇｎａｌ）、及びＮＲ−ＰＢＣＨ（Ｐｈｙｓｉｃａｌ  Ｂｒｏａｄｃａｓｔ  Ｃｈａｎｎｅｌ）を含む。
【００７６】
図４では、同期信号ブロックＳＳＢを探すために定義された候補周波数位置が例示的に示されているが、本発明の一実施形態では、候補周波数位置とは関係なく周波数区間別の信号サイズに基づいて、同期信号ブロックＳＳＢを探すための周波数区間の手順が定められる。
【００７７】
他の実施形態によって、周波数区間は、候補周波数位置に基づいて定められてもよい。
【００７８】
実施形態によって、図５のように、相異なる周波数区間に属する複数の同期信号ブロックＳＳＢ＃１ないしＳＳＢ＃Ｌが存在する場合、同期検出器３３３は、周波数区間別の信号サイズに基づいて、信号の大きい周波数区間を高い優先順位として定め、高い優先順位の周波数区間から優先的に同期信号ブロックＳＳＢを検出する。
【００７９】
実施形態によって、同期検出器３３３は、同期信号ブロックＳＳＢに含まれているＮＲ−ＰＳＳとＮＲ−ＳＳＳとの相関関係を用いて、同期を検出する。
【００８０】
スイッチング信号生成器３３４は、同期検出器３３３によって検出された同期を用いて、中継器３００に含まれているアップリンク／ダウンリンク・スイッチ３０５及び３１６をスイッチングするためのスイッチング信号ＳＷ１及びＳＷ２を生成する。
【００８１】
図６は、本発明の一実施形態による中継器の動作方法のフローチャートである。
【００８２】
図１ないし図６を参照すれば、中継器３００は、それぞれが相異なる周波数区間に属する複数の同期信号ブロックＳＳＢを含む通信信号を受信する（Ｓ６０１）。
【００８３】
中継器３００は、受信した通信信号の周波数区間別の信号サイズを検出する（Ｓ６０２）。
【００８４】
実施形態によって、中継器３００は、受信した通信信号を周波数ドメインに変換した後、周波数区間別に該周波数成分の信号サイズを検出する。
【００８５】
中継器３００は、周波数区間別の信号サイズに基づいて、同期信号ブロックＳＳＢを検出する周波数区間の優先順位を定める（Ｓ６０３）。
【００８６】
実施形態によって、中継器３００は、信号サイズの大きい周波数区間について優先順位を高く定める。
【００８７】
中継器３００は、定められた優先順位によって、通信信号の周波数区間別に含まれている同期信号ブロックを検出する（Ｓ６０４）。
【００８８】
実施形態によって、中継器３００は、優先順位の高い周波数区間から優先的に同期信号ブロックを検出する。
【００８９】
中継器３００は、検出された同期を用いて、中継器３００内のアップリンク通信及びダウンリンク通信をスイッチングする（Ｓ６０５）。
【００９０】
実施形態によって、中継器３００は、検出された同期を用いて、中継器３００内のアップリンク／ダウンリンク・スイッチ３０５及び３１６をスイッチングする。
【００９１】
以上、本発明を望ましい実施形態を挙げて詳細に説明したが、本発明は、前記実施形態に限定されず、本発明の技術的思想及び範囲内で当業者によって様々な変形及び変更ができる。
【図１】
2020532915.tif 000003
【図２】
2020532915.tif 000004
【図３】
2020532915.tif 000005
【図４】
2020532915.tif 000006
【図５】
2020532915.tif 000007
【図６】
2020532915.tif 000008
【国際調査報告】
2020532915.tif 000009
2020532915.tif 000010
2020532915.tif 000011
2020532915.tif 000012